(57)【要約】【課題】  従来、空気調和機の前面パネルを脱着する際に、前面パネルと一体型のフックをたわませて脱着させた場合、たわませる力の加減と場所が分かりづらく、前面パネルが不意に落下する恐れがあった。  本発明は、脱着性が簡便で、不意に落下しないことを特徴とした前面パネルを設けた空気調和機を提供する。【解決手段】  前面パネル４の支柱５ａ,５ｂに、操作部が容易に認識できるように支柱５ａ,５ｂの色と違う色としたＰ-Ｑ方向にスライド可能なフック６ａ,６ｂを設け、化粧カバー３の軸穴８ａ,８ｂにフック６ａ,６ｂの支軸７ａ,７ｂを挿入する構造し、フック６ａ,６ｂをスライドさせ支軸７ａ,７ｂを軸穴８ａ,８ｂから抜き差しすることで、容易に前面パネルを脱着させることを特徴とする。【選択図】  図４
2005133998.tif 000002
【特許請求の範囲】
【請求項１】
前面パネル上部左右に設けられた支柱にフックがあり、フックの支軸を挿入する軸穴を設けた化粧カバーとからなる、取り外し可能な空気調和機の前面パネルにおいて、前面パネル上部左右の支柱に設けたフックを可動とし、フックをスライドさせ支軸を軸穴から抜き差しすることで、容易に化粧カバーから脱着させることを特徴とした前面パネルを有する空気調和機。
【請求項２】
前記請求項１に記載の可動式のフックを上部左右のどちらか片方のみに設け、もう片方は支柱に固定したフックを設け、可動式のフックを動かした後、前面パネルを動かして固定側のフックを外し、化粧カバーから脱着させることを特徴とした前面パネルを有する空気調和機。
【請求項３】
前記の可動式のフックの色を、前面パネルの支柱の色とは別の色にし、利用者が操作部を容易に認識できることを特徴とした前面パネルを有する空気調和機。
【請求項４】
前記の可動式のフックに、フックを操作する為のリブを設けたことを特徴とした前面パネルを有する空気調和機。
【請求項５】
前記の前面パネルに設けた支柱に壁面を設け、可動式のフックをスライドさせた際にフックが支柱から容易に外れないようにしたことを特徴とする前面パネルを有する空気調和機。
【請求項６】
前記請求項４の可動式のフックに、先端に前面パネルの支柱方向に向けて爪が形成されている弾性を有する板を設置し、前面パネルの支柱には可動式のフックの支軸が化粧カバーの軸穴に挿入された際に、フックの爪が掛かるように穴を開け、可動式のフックをスライドさせた際に、フックの支軸が軸穴に挿入されたことが利用者に容易に分かるようにしたことを特徴とする前面パネルを有する空気調和機。
【請求項７】
前記の前面パネルに設けた支柱の可動式のフックとの合わせ面に、フックの支軸方向に凸状のリブを設け、可動式のフックの支柱との合わせ面に凹状の切り欠きを形成し、容易にフックを可動するためのガイドとさせたことを特徴とする前面パネルを有する空気調和機。
【請求項８】
前面パネル上部左右に設けられた支柱に可動レバーがあり、可動レバーに軸穴を設け、化粧カバーから突起する支軸とからなる、取り外し可能な空気調和機の前面パネルにおいて、前面パネル上部左右の支柱に設けた可動レバーをスライドさせ軸穴から化粧カバーの支軸を抜き差しすることで、容易に化粧カバーから脱着させることを特徴とした前面パネルを有する空気調和機。
【請求項９】
前記請求項３に記載の可動レバーを左右どちらか片方のみに設け、もう片方は固定式の支柱とし、可動レバーを動かした後、前面パネルを動かして固定側の支柱から化粧カバーの支軸を外し、化粧カバーから脱着させることを特徴とした前面パネルを有する空気調和機。
【請求項１０】
前記の可動レバーの色を、前面パネルの支柱の色とは別の色にし、利用者が操作部を容易に認識できることを特徴とした前面パネルを有する空気調和機。
【請求項１１】
前記の可動レバーに、可動レバーを操作する為のリブを設けたことを特徴とした全面パネルを有する空気調和機。
【請求項１２】
前記の前面パネルに設けた支柱に壁面を設け、可動レバーをスライドさせた際にレバーが支柱から容易に外れないようにしたことを特徴とする前面パネルを有する空気調和機。
【請求項１３】
前記請求項４の可動レバーに、先端に前面パネルの支柱方向に向けて爪が形成されている弾性を有する板を設置し、前面パネルの支柱には可動レバーの軸穴に化粧カバーの支軸が挿入された際に、レバーの爪が掛かるように穴を開け、可動レバーをスライドさせた際に、レバーの軸穴に支軸が挿入されたことが利用者に容易に分かるようにしたことを特徴とする前面パネルを有する空気調和機。
【請求項１４】
前記の前面パネルに設けた支柱の可動レバーとの合わせ面に、レバーの軸穴開口方向に凸状のリブを設け、可動レバーの支柱との合わせ面に凹状の切り欠きを形成し、容易にレバーを可動するためのガイドとさせたことを特徴とする前面パネルを有する空気調和機。
【請求項１５】
前記請求項１に記載の可動式のフックを上部左右のどちらか片方のみに設け、もう片方は請求項８に記載の軸穴を開けた可動レバーを設け、化粧カバーには、フックの支軸を通す軸穴と可動レバーの軸穴に通す支軸を有し、可動式のフックと可動レバーをスライドさせフックの支軸と化粧カバーの支軸を軸穴から抜き差しすることで容易に化粧カバーから脱着させることを特徴とした前面パネルを有する空気調和機。
【請求項１６】
前記記載の可動式のフックが前面パネルに直接取付けられた構造となることを特徴とした前面パネルを有する空気調和機。
【請求項１７】
前記記載の可動レバーが前面パネルに直接取付けられた構造となることを特徴とした前面パネルを有する空気調和機。
【発明の詳細な説明】
【技術分野】
【０００１】
本発明は、取り外し可能な前面パネルを有する空気調和機において、前面パネルの脱着性が簡便かつ、不意に落下しないようにした構造に関する。
【背景技術】
【０００２】
従来の空気調和機の前面パネルは、図１に示すように本体１を構成するキャビネット２、化粧カバー３、前面パネル４において、前面パネル４上部左右には前面パネル４と一体化したフック６ａ，６ｂを有し、フック６ａ，６ｂの支軸７ａ，７ｂは、化粧カバー３の軸穴８ａ，８ｂに挿入されており、フック６ａ，６ｂは弾性を持たせている。
【０００３】
図２に示すように、前面パネル４を取り外す場合は、利用者が支軸７ａ，７ｂが軸穴８ａ，８ｂから抜けるまでフック６ａ，６ｂをＱ方向にたわませる必要があった。
【０００４】
同様に、前面パネル４を取付ける場合も、利用者が軸穴８ａ，８ｂに支軸７ａ，７ｂが入るまでフック６ａ，６ｂをＱ方向にたわませる必要があった。
【０００５】
しかしながら、空気調和機を据え付けた状態では本体の位置が高所となるため、フック６ａ，６ｂをたわませる際に、力を加える加減と場所が分かりづらく、フック６ａ，６ｂの支軸７ａ，７ｂを軸穴８ａ，８ｂから引き出す際に、不意に前面パネル４が落下する場合があり、利用者にとって取り扱いにくい構造となっていた。
【０００６】
また、前面パネルが不意に落下しないようにするための技術は、例えば特開平１０-２３２０２７号公報、特開平１０-１４８３５０号公報に記載されている。
【０００７】
【特許文献１】特開平１０-２３２０２７号公報
【特許文献２】特開平１０-１４８３５０号公報
【発明の開示】
【発明が解決しようとする課題】
【０００８】
上記の問題から、本発明は、前面パネルを脱着する際、取扱いが簡便で、かつ不意に落下しないことを特徴とした前面パネルを設けた空気調和機を提供することを目的とする。
【課題を解決するための手段】
【０００９】
上記課題を解決するために、本発明では前面パネル上部左右に設けた支柱に、支柱の色とは別の色のフックを設けることにより操作部が容易に認識でき、フックを可動式とし、フックをスライドさせることにより、化粧カバーの軸穴からフックの支軸を抜き差しすることで、容易に前面パネルを脱着させるような構造の前面パネルとした。
【発明の効果】
【００１０】
本発明によれば、前面パネルを脱着させる際にフックをたわませる必要が無く、容易に脱着可能な空気調和機の前面パネルを提供することが出来る。
【発明を実施するための最良の形態】
【００１１】
以下、本発明の実施例について説明する。
（１）実施例１を図３に示す。
【００１２】
空気調和機は本体１を構成するキャビネット２、化粧カバー３、前面パネル４から構成される。前面パネル４は、左右に設置された支柱５ａ，５ｂと支柱５ａ，５ｂに設けられたフック６ａ，６ｂから成り、フック６ａ，６ｂの支軸７ａ，７ｂを化粧カバー３の軸穴８ａ，８ｂに挿入することで、化粧カバー３に固定される。
【００１３】
フック６ａ，６ｂは図４に示すように、支柱５ａ，５ｂに対してＰ-Ｑ方向にスライド可能となっており、フック６ａ、６ｂの支柱５ａ，５ｂに対する可動範囲Ｌ１は支軸７ａ，７ｂの長さＬ０と同じ値となっている。
【００１４】
フック６ａ，６ｂの色は、支柱５ａ，５ｂの色とは別の色にしてある。
【００１５】
また、図５に示すようにフック６ａ，６ｂに、フックを操作する為のリブ９ａ，９ｂを設けている。
【００１６】
さらに、支柱５ａ，５ｂのＱ方向の面に壁面Ａを設け、フック６ａ，６ｂをＱ方向にスライドさせた際にフック６ａ，６ｂが支柱５ａ，５ｂから脱落しないようにしてある。
【００１７】
また、フック６ａ，６ｂの支柱５ａ，５ｂとの合わせ面Ｂに、支柱方向に向けて爪１０ａ，１０ｂが形成されている弾性を有する板１１ａ，１１ｂを設置し、前面パネル４の支柱５ａ，５ｂには支軸７ａ，７ｂが軸穴８ａ，８ｂに挿入された際に、爪１０ａ，１０ｂが掛かるように穴１２ａ，１２ｂを開けてある。
【００１８】
また、支柱５ａ，５ｂのフック６ａ，６ｂとの合わせ面Ｃに、支軸７ａ，７ｂ方向に凸状のリブ１３ａ，１３ｂを設け、フック６ａ，６ｂの支柱５ａ，５ｂとの合わせ面Ｄに凹状の切り欠き１４ａ，１４ｂを形成し、容易にフック６ａ，６ｂを可動するためのガイドとさせた。
【００１９】
フック６ａ，６ｂをＰ方向にスライドした場合、支軸７ａ，７ｂは軸穴８ａ，８ｂに挿入され、フック６ａ，６ｂをＱ方向にスライドした場合は、支軸７ａ，７ｂは軸穴８ａ，８ｂから抜けることになる。
【００２０】
従って、フック６ａ，６ｂをそれぞれＱ方向にスライドさせた場合、前面パネル４は化粧カバー３から解放され、化粧カバーから取り外すことが出来る。
【００２１】
逆に、フック６ａ，６ｂをそれぞれＰ方向にスライドさせた場合、フック６ａ，６ｂは軸穴８ａ，８ｂに挿入される為、前面パネル４を化粧カバー３に固定することが可能である。
【００２２】
また、フック６ａ，６ｂをＱ方向にスライドさせた場合、支軸７ａ，７ｂが軸穴８ａ，８ｂに挿入されると爪１０ａ，１０ｂが支柱５ａ，５ｂの穴１２ａ，１２ｂに掛かり、フック６ａ，６ｂはそれ以上動くことが無く、利用者が前面パネル４が化粧カバー３に固定されたことが容易に分かる。
【００２３】
また、フック６ａ，６ｂをＱ方向にスライドさせた場合、支柱５ａ，５ｂの壁面Ａにフック６ａ，６ｂが当たりそれ以上動くことが無く、利用者が前面パネル４が化粧カバー３から外れたことが容易に分かる。フック６ａ，６ｂをＰ方向にスライドさせた場合、支柱５ａ，５ｂの穴１２ａ,１２ｂに爪１０ａ,１０ｂが掛かりフック６ａ，６ｂがそれ以上動くことが無く、利用者が前面パネル４が化粧カバー３に固定されたことが容易に分かる。
【００２４】
また、フック６ａ，６ｂは支柱５ａ，５ｂの凸状のリブ１３ａ，１３ｂに沿って可動する為、容易にスライドすることが可能である。
【００２５】
さらに、フック６ａ，６ｂの色は支柱５ａ，５ｂの色とは変えてある為、利用者が操作部を容易に識別できる。
【００２６】
この構造により、前面パネルの脱着時にフックに力を掛ける必要がなくなり、脱着時の取扱いが容易になり前面パネルの落下の恐れも改善される。
（２）実施例２を図６に示す。
【００２７】
空気調和機は本体１を構成するキャビネット２、化粧カバー３、前面パネル４から構成される。
【００２８】
前面パネル４は、左右に設置された支柱５ａ，５ｂと支柱５ａ，５ｂに設けられたフック６ａ，６ｂから成り、フック６ａ，６ｂの支軸７ａ，７ｂを化粧カバー３の軸穴８ａ，８ｂに挿入することで、化粧カバー３に固定される。
【００２９】
フック６ａは図７に示すように、支柱５ａに対してＰ-Ｑ方向にスライド可能となっており、フック６ａの支柱５ａに対する可動範囲Ｌ１は支軸７ａの長さＬ０と同じ値となっている。
【００３０】
フック６ａをＰ方向にスライドした場合、支軸７ａは軸穴８ａに挿入され、フック６ａをＱ方向にスライドした場合は、支軸７ａは軸穴８ａから抜けることになる。
【００３１】
フック６ａの色は、支柱５ａの色とは別の色にしてある。
【００３２】
また、支柱７ａと軸穴８ａを有する化粧カバーの壁面Ｅまでの距離Ｌ２は、支軸７ｂの長さＬ３と同じもしくはそれ以上の距離を設ける。
【００３３】
また、図５に示すようにフック６ａに、フックを操作する為のリブ９ａを設けている。
【００３４】
さらに、支柱５ａの、支軸７ａと反対方向の面に壁面Ａを設け、フック６ａをＱ方向にスライドさせた際にフック６ａが支柱５ａから脱落しないようにしてある。
【００３５】
また、フック６ａの支柱５ａとの合わせ面Ｂに、支柱方向に向けて爪１０ａが形成されている弾性を有する板１１ａを設置し、前面パネル４の支柱５ａには支軸７ａが軸穴８ａに挿入された際に、爪１０ａが掛かるように穴１２ａを開けてある。
【００３６】
また、支柱５ａのフック６ａとの合わせ面Ｃに、支軸７ａ方向に凸状のリブ１３ａを設け、フック６ａの支柱５ａとの合わせ面Ｅに凹状の切り欠き１４ａを形成し、容易にフック６ａを可動するためのガイドとさせた。
【００３７】
前面パネル４を化粧カバー３から取り外す場合は、先ずフック６ａをＱ方向にスライドさせ、支軸７ａを軸穴８ａから抜く。この時フック６ｂの支軸７ｂは軸穴８ｂに挿入されたままであるので、前面パネル４自体をＲ方向に動かす。前面パネルの移動距離は、支軸７ａと軸穴８ａを有する化粧カバーの壁面Ｅまでの距離Ｌ２であり、支軸７ｂの長さＬ３と同じもしくはそれ以上の距離があるので、支軸７ｂが軸穴８ｂから引抜くことが出来、前面パネル４を化粧カバー３から取り外すことができる。
【００３８】
前面パネル４を化粧カバー３に取付ける際は、先ずフック６ｂの支軸７ｂを軸穴８ｂに差し込み、その後フック６ａをＰ方向にスライドさせることで化粧カバー３に固定することができる。
【００３９】
また、フック６ａをＰ方向にスライドさせた場合、支軸７ａが軸穴８ａに挿入されると爪１０ａが穴１２ａに掛かり、フック６ａはそれ以上動くことが無く、利用者が前面パネル４が化粧カバー３に固定されたことが容易に分かる。
【００４０】
また、フック６ａをＰ方向にスライドさせた場合、支柱５ａの壁面Ｂ１にフック６ａが当たりそれ以上動くことが無く、利用者が前面パネル４が化粧カバー３に固定されたことが容易に分かる。
【００４１】
また、フック６ａは支柱５ａの凸状のリブ１３ａに沿って可動する為、容易にスライドすることが可能である。
【００４２】
さらに、フック６ａの色は支柱５ａの色とは変えてある為、利用者が操作部を容易に識別できる。
【００４３】
これによって、前面パネルの脱着時にフックに力を掛ける必要がなくなり、脱着時の取扱いが容易になると共に、片側のフックが化粧カバーの軸穴に残る為、前面パネルの落下の恐れがなくなる。
（３）実施例３を図８に示す。
【００４４】
空気調和機は本体１を構成するキャビネット２、化粧カバー３、前面パネル４から構成される。
【００４５】
前面パネル４は、左右に設置された支柱５ａ，５ｂがあり、支柱５ａにはレバー１５ａがあり、レバー１５ａには軸穴１６ａが開口してある。また、支柱５ｂには軸穴１６ｂが開口してある。
【００４６】
前面パネル４は軸穴１６ａ,１６ｂに化粧カバー３の支軸１７ａ,１７ｂを通すことで、化粧カバー３に固定される。
【００４７】
レバー１５ａの色は、支柱５ａ，５ｂの色とは別の色にしてある。
【００４８】
レバー１５ａは図９に示すように、支柱５ａに対してＰ-Ｑ方向にスライド可能となっており、化粧カバー３の支軸１７ａの長さＬ４は、レバー１５ａの支柱５ａに対する可動範囲Ｌ５と同じ長さとなっている。
【００４９】
レバー１５ａをＰ方向にスライドした場合、軸穴１６ａに支軸１７ａが挿入され、レバー１５ａをＱ方向にスライドした場合は、軸穴１６ａは支軸１７ａから抜けることになる。また、支柱５ａと支軸１７ａを有する化粧カバーの壁面Ｆまでの距離Ｌ６は、支軸１７ｂの長さＬ７と同じもしくはそれ以上の距離を設ける。
【００５０】
また、レバー１５ａには図１０に示すように、レバーを操作する為のリブ９ａを設けている。
【００５１】
さらに、支柱５ａにレバー１５ａの軸穴１６ａと反対方向に壁面Ｇを設け、レバー１５ａをＱ方向にスライドさせた際にレバー１５ａが支柱５ａから脱落しないようにしてある。
【００５２】
また、レバー１５ａの支柱５ａとの合わせ面Ｈに、先端に支柱方向に向けて爪１０ａが形成されている弾性を有する板１１ａを設置し、前面パネル４の支柱５ａには軸穴１６ａが支軸１７ａに通された際に、爪１０ａが掛かるように穴１２ａを開けてある。
【００５３】
また、支柱５ａのレバー１５ａとの合わせ面Ｊに、軸穴１６ａ方向に凸状のリブ１３ａを設け、レバー１５ａの支柱５ａとの合わせ面Ｋに凹状の切り欠き１４ａを形成し、容易にレバー１５ａを可動するためのガイドとさせた。
【００５４】
前面パネル４を化粧カバー３から取り外す場合は、先ずレバー１５ａをＱ方向にスライドさせ、軸穴１６ａから支軸１７ａを抜く。この時支柱５ｂの軸穴１６ｂは支軸１７ｂに挿入されたままであるので、前面パネル４自体をＲ方向に動かす。前面パネルの移動距離は軸穴１６ａと支軸１７ａを有する化粧カバーの壁面Ｆまでの距離Ｌ６であり、支軸１７ｂの長さＬ７と同じもしくはそれ以上の距離があるので、軸穴１６ｂから支軸１７ｂが抜けることが出来、前面パネル４を化粧カバー３から取り外すこととする。
【００５５】
前面パネル４を化粧カバー３に取付ける際は、先ず支柱５ｂの軸穴１６ｂに支軸１７ｂを通し、その後レバー１５ａをＰ方向にスライドさせることで化粧カバー３に固定させることが出来る。
【００５６】
また、レバー１５ａをＰ方向にスライドさせた場合、軸穴１６ａに支軸１７ａが挿入されると爪１０ａが支柱５ａの穴１２ａに掛かり、レバー１５ａはそれ以上動くことが無く、利用者が前面パネル４が化粧カバー３に固定されたことが容易に分かる。
【００５７】
また、レバー１５ａをＱ方向にスライドさせた場合、支柱５ａの壁面Ｇにレバー１５ａが当たりそれ以上動くことが無く、利用者が前面パネル４が化粧カバー３から解放されたことが容易に分かる。
【００５８】
また、レバー１５ａは支柱５ａの凸状のリブ１３ａに従って可動する為、容易にスライドすることが可能である。
【００５９】
さらに、レバー１５ａの色は支柱５ａの色とは変えてある為、利用者が操作部を容易に識別できる。
【００６０】
これによって、前面パネルの脱着時に力を掛ける必要がなくなり、脱着時の取扱いが容易になると共に、片側のフックが化粧カバーの軸穴に残る為、前面パネルの落下の恐れがなくなる。
【図面の簡単な説明】
【００６１】
【図１】従来の空気調和機の分解斜視図を示す。
【図２】従来の化粧カバーと前面パネルの支柱とフックの模式図を示す。
【図３】実施例１の空気調和機の分解斜視図を示す。
【図４】実施例１の化粧カバーと前面パネルの支柱とフックの模式図を示す。
【図５】実施例１の前面パネルの１つの支柱とフックの分解斜視図を示す。
【図６】実施例２の空気調和機の分解斜視図を示す。
【図７】実施例２の化粧カバーと前面パネルの支柱とフックの模式図を示す。
【図８】実施例３の空気調和機の分解斜視図を示す。
【図９】実施例３の化粧カバーと前面パネルの支柱とレバーの模式図を示す。
【図１０】実施例３の前面パネルの１つの支柱とレバーの分解斜視図を示す。
【符号の説明】
【００６２】
１…空気調和機本体、２…キャビネット、３…化粧カバー、４…前面パネル、５ａ，５ｂ…支柱、６ａ，６ｂ…フック、７ａ，７ｂ…支軸、８ａ，８ｂ…軸穴、９ａ，９ｂ…リブ、１０ａ，１０ｂ…爪、１１ａ，１１ｂ…板、１２ａ，１２ｂ…穴、１３ａ，１３ｂ…凸状のリブ、１４ａ，１４ｂ…凹状の切り欠き、１５ａ…レバー、１６ａ，１６ｂ…軸穴、１７ａ，１７ｂ…支軸、Ａ…壁面、Ｂ…フック６ａ，６ｂの支柱５ａ、５ｂとの合わせ面、Ｃ…支柱５ａ，５ｂのフック６ａ，６ｂとの合わせ面、Ｄ…フック６ａ，６ｂの支柱５ａ、５ｂとの合わせ面、Ｅ…化粧カバーの壁面、Ｆ…化粧カバーの壁面、Ｇ…化粧カバーの壁面、Ｈ…レバーの支柱との合わせ面、Ｊ…化粧カバーの壁面、Ｋ…化粧カバーの壁面、Ｌ０…支軸７ａ,７ｂの長さ、Ｌ１…フック６ａ,６ｂの支柱５ａ,５ｂに対する可動範囲、Ｌ２…支柱５ａと壁面Ｅまでの距離、Ｌ３…支軸７ｂの長さ、Ｌ４…支軸１７ａの長さ、Ｌ５…レバー１５ａの支柱５ａに対する可動範囲、Ｌ６…支柱５ａと壁面Ｆまでの距離、Ｌ７…支軸１７ｂの長さ、Ｐ…フック６ａ,６ｂ、レバー１５ａの可動方向、Ｑ…フック６ａ,６ｂ、レバー１５ａの可動方向、Ｒ…前面パネル４の可動方向、Ｓ…前面パネル４の可動方向。
【図１】
2005133998.tif 000003
【図２】
2005133998.tif 000004
【図３】
2005133998.tif 000005
【図４】
2005133998.tif 000006
【図５】
2005133998.tif 000007
【図６】
2005133998.tif 000008
【図７】
2005133998.tif 000009
【図８】
2005133998.tif 000010
【図９】
2005133998.tif 000011
【図１０】
2005133998.tif 000012